(57)【特許請求の範囲】
【請求項１】
機体の外郭をなす外枠の開口前面側には中枠が組付けられ、前記中枠には遊技盤が着脱可能に組付けられるとともに機裏側に複数の制御基板が搭載され、該制御基板間が電気配線により電気的に接続される遊技機であって、
前記外枠の横方向へ延びる側縁部の裏面には、前記制御基板の取付位置を特定するための列方向位置表示部が形成されるとともに、前記列方向位置表示部は外枠の横方向に亘って複数の区画域に区画され、各区画域に横方向の表記情報が付され、
前記外枠の縦方向へ延びる側縁部の裏面には、前記制御基板の取付位置を特定するための行方向位置表示部が形成されるとともに、前記行方向位置表示部は外枠の縦方向に亘って複数の区画域に区画され、各区画域に縦方向の表記情報が付され、
さらに、前記制御基板には、該制御基板に対する前記電気配線の接続先を示す情報が付されており、
前記機裏側で前記電気配線を複数本集束させた状態で結束するための結束具を備え、該結束具は前記複数本の電気配線を結束する際に当該電気配線にて形成される配線束に対して結束力を付与する本体部と、結束された配線束に関する識別情報が表記される識別情報表記部とを備え、当該識別情報表記部を、前記本体部から一体的に突出形成した突片の表面に設け、
前記識別情報は、前記横方向の表記情報、及び前記縦方向の表記情報を含むとともに、前記電気配線の接続先を示す情報を含んでいる遊技機。
【請求項２】
前記識別情報は、その配線束が遊技機における各種遊技関連機能のうち何れの機能に関わる配線束であるかを示す機能情報を含んでいる請求項１に記載の遊技機。
【請求項３】
前記識別情報は、配線束を遊技機に取付ける順番を示す取付順番情報を含んでいる請求項１又は請求項２に記載の遊技機。
【請求項４】
前記突片は、前記本体部の長さ方向に対し直交する方向へ突設されている請求項１〜請求項３のうち何れか一項に記載の遊技機。
【発明の詳細な説明】
【０００１】
【発明の属する技術分野】
本発明は、遊技機の機裏側で各制御基板間を電気的に接続する電気配線を複数本集束させた状態で結束するための結束具が使用された遊技機に関するものである。
【０００２】
【従来の技術】
パチンコ機等の遊技機においては、機裏側に遊技内容を制御する各種制御基板等の遊技関連部品が多数装備されている。そして、各遊技関連部品間は各種の制御信号等を伝送する電気配線により接続されている。また、この電気配線は複数本ずつが集束されて配線束とされ、当該配線束の両端には接続用コネクタが取着されている。以下、接続用コネクタが取着された配線束を「ハーネス」という。
【０００３】
このような遊技機が遊技場に設置された状態で、前記制御基板等の遊技関連部品における電気的トラブル等が原因と思われる問題が生じた際には、従来、次のような対処が行われていた。即ち、まず遊技場の係員が当該遊技機におけるトラブル状況を遊技機メーカ（以下、単に「メーカ」という）の係員に電話等の通信手段で連絡する。すると、この電話連絡による説明を受けて、メーカの係員がトラブル状況を推測し、その推測に基づき接続状況の確認が必要と思われるハーネスを遊技場の係員に指示する。すると、この電話での指示内容に基づき、遊技場の係員が当該遊技機の機裏側を見ながら問題となっているハーネスの接続状況を確認し、その接続不備に対処するようにしていた。
【０００４】
【発明が解決しようとする課題】
ところが、近時においては、年々遊技機の構造が多様化、複雑化しており、機裏側における遊技関連部品も大幅に増えてきている。また、遊技関連部品の増加に伴い前記電気配線の本数も増加し、ハーネスの数も増えている。その結果、電話連絡による説明では、前記各遊技関連部品及びそれらの間を接続する各ハーネスのうち何れが前記電気的トラブルに関わっているのかを的確に伝達しづらいという問題があった。また、例えば、メーカの係員からの電話による指示に従って遊技場の係員がハーネスの配線作業を行う場合、接続先等の位置説明が的確に伝わらないと、接続用コネクタの差込位置を間違えて接続してしまうという問題があった。
【０００５】
本発明は上記問題点を解決するためになされたものであり、その目的は、遊技機の機裏側に複数設けられたハーネス（配線束）を迅速に且つ簡便に識別することができるとともに結束具の使用に基づき機裏側での配線作業等を迅速に且つ簡便に行い得る遊技機を提供することにある。
【０００６】
【課題を解決するための手段】
上記問題点を解決するために、請求項１に記載の発明は、機体の外郭をなす外枠の開口前面側には中枠が組付けられ、前記中枠には遊技盤が着脱可能に組付けられるとともに機裏側に複数の制御基板が搭載され、該制御基板間が電気配線により電気的に接続される遊技機であって、前記外枠の横方向へ延びる側縁部の裏面には、前記制御基板の取付位置を特定するための列方向位置表示部が形成されるとともに、前記列方向位置表示部は外枠の横方向に亘って複数の区画域に区画され、各区画域に横方向の表記情報が付され、前記外枠の縦方向へ延びる側縁部の裏面には、前記制御基板の取付位置を特定するための行方向位置表示部が形成されるとともに、前記行方向位置表示部は外枠の縦方向に亘って複数の区画域に区画され、各区画域に縦方向の表記情報が付され、さらに、前記制御基板には、該制御基板に対する前記電気配線の接続先を示す情報が付されており、前記機裏側で前記電気配線を複数本集束させた状態で結束するための結束具を備え、該結束具は前記複数本の電気配線を結束する際に当該電気配線にて形成される配線束に対して結束力を付与する本体部と、結束された配線束に関する識別情報が表記される識別情報表記部とを備え、当該識別情報表記部を、前記本体部から一体的に突出形成した突片の表面に設け、前記識別情報は、前記横方向の表記情報、及び前記縦方向の表記情報を含むとともに、前記電気配線の接続先を示す情報を含んでいることを要旨とする。
【０００７】
請求項２に記載の発明は、請求項１に記載の遊技機において、前記識別情報は、その配線束が遊技機における各種遊技関連機能のうち何れの機能に関わる配線束であるかを示す機能情報を含んでいることを要旨とする。
【０００８】
請求項３に記載の発明は、請求項１又は請求項２に記載の遊技機において、前記識別情報は、配線束を遊技機に取付ける順番を示す取付順番情報を含んでいることを要旨とする。
【０００９】
請求項４に記載の発明は、請求項１〜請求項３のうち何れか一項に記載の遊技機において、前記突片は、前記本体部の長さ方向に対し直交する方向へ突設されていることを要旨とする。
【００１２】
【発明の実施の形態】
以下、本発明をパチンコ遊技機（以下、単に「遊技機」という）及び、当該遊技機に用いられるハーネス（配線束）を結束する結束具に具体化した一実施形態を図１〜図６に従って説明する。なお、以下の説明において「右」又は「左」は特に断らない限り、機裏側から見た場合の「右」又は「左」を示すものとする。
【００１３】
本実施形態の遊技機１０は、図１に示すように、その基本的構成の概要として、機体の外郭をなす外枠１１の開口前面側に、搭載枠とも称される縦長方形の中枠１２が開閉及び着脱可能に取付けられている。中枠１２の裏側には、各種の球経路及び処理部を備えた機構セット盤１３が着脱可能にセットされ、この機構セット盤１３の略中央部には前記中枠１２にセット保持された遊技盤１４の大きさと対応するセット口１３ａが形成されている。そして、このセット口１３ａを介して機裏側に露出した前記遊技盤１４の裏面には該遊技盤１４の表面に設けられた可視表示部（図示しない）に対し図柄変動制御を指示する図柄制御基板１５等が取付けられている。
【００１４】
前記機構セット盤１３の裏面側において前記セット口１３ａの上方位置には、球タンク１６が設けられており、同球タンク１６から整流樋１７を介して貯留球が流下供給される区分供給経路部１８が前記セット口１３ａの右方領域に上下方向へ延設されている。そして、この区分供給経路部１８の下流端には球払出し装置１９が着脱可能にビス等で取着セットされ、この球払出し装置１９から賞球又は貸し球として払出された貯留球が排出経路（図示しない）を介して機表側の上球皿（図示しない）へ供給されるようになっている。
【００１５】
さらに、前記セット口１３ａの下方、即ち、機構セット盤１３の下部外側には、遊技内容を統括して制御する主制御基板（以下、「主基板」という）２０及び貯留球排出処理（賞球及び貸し球の払出し）を制御する払出し制御基板２１が並設されている。そして、主基板２０よりも下方位置には機表側の打球発射装置の作動状態を制御する発射制御基板２２と、内装されたスピーカから発せられる効果音を制御する音声制御基板２３が設けられている。
【００１６】
尚、２４は電源部（ＡＣ２４Ｖ）に接続されるとともに賞球情報信号及び球貸し情報信号を図示しない外部コンピュータ等へ出力する外部接続端子板であり、２５は球払出し装置１９と払出し制御基板２１とを電気的に中継接続する中継基板、２６は前記外枠１１の一側縁に装備される図示しないカードユニットと払出し制御基板２１とを電気的に接続するインターフェースボードである。
【００１７】
前記図柄制御基板１５、球払出し装置１９、主基板２０、払出し制御基板２１、発射制御基板２２、音声制御基板２３、外部接続端子板２４、中継基板２５、インターフェースボード２６等が遊技関連部品に相当する。また、以下の説明において、上記した各部材１５，１９〜２６を総称して「遊技関連部品」ということもある。
【００１８】
次に、前述した遊技機１０の外枠１１について更に説明すると、外枠１１は木材又は合成樹脂にて形成された矩形状の枠体であり、その中央部は中枠１２を支持するために縦長方形状に開口している。そして、外枠１１における上部枠体１１ａの裏面には、その長手方向に亘って直線状に列方向位置表示部２７が形成されている。また、外枠１１の右側枠体１１ｂの裏面には、その長手方向に亘って直線状に行方向位置表示部２８が形成されている。前記列方向位置表示部２７は、左右方向（列方向）へ１１個のブロック２９に区画され、前記各ブロック２９には左側から順にＡ〜Ｋまでの大文字のアルファベット文字が刻印されている。
【００１９】
一方、行方向位置表示部２８は、上下方向（行方向）へ１４個のブロック３０に区画され、前記各ブロック３０には上側から順に１〜１４までの漢数字が刻印されている。なお、前記上部枠体１１ａの裏面及び右側枠体１１ｂの裏面が遊技機１０の裏面側縁部及び遊技機の所定部位に相当し、列方向及び行方向位置表示部２７，２８が判別情報表記部に相当する。また、前記列方向及び行方向位置表示部２７，２８に表記された大文字のアルファベット文字及び漢数字が判別情報及び表記情報に相当する。
【００２０】
次に、主基板２０及び払出し制御基板２１について説明すると、主基板２０の上縁部には、払出し制御基板２１を始め、各種遊技関連部品と電気的に接続するための複数の基板側コネクタ３１が配置されている。そして、主基板２０の裏面２０ａであって、各基板側コネクタ３１の近傍には、判別情報としてのアラビア数字が表記されている。一方、主基板２０と隣接する払出し制御基板２１の上縁部には、主基板２０や球払出し装置１９等の各遊技関連部品と電気的に接続するための複数の基板側コネクタ３２が配置されている。そして、払出し制御基板２１の裏面２１ａであって、各基板側コネクタ３２の近傍には、判別情報としてのアラビア数字が表記されている。
【００２１】
なお、本実施形態においては、遊技機１０側に設けられるコネクタは、主基板２０及び払出し制御基板２１の基板側コネクタ３１，３２のみを説明するが、その他の遊技関連部品にも複数のコネクタは設けられており、それらの近傍には判別情報としてのアラビア数字が表記されている。前記主基板２０の裏面２０ａ及び払出し制御基板２１の裏面２１ａであって、基板側コネクタ３１，３２の近傍も遊技機の所定部位及び判別情報表記部に相当する。
【００２２】
前記主基板２０及び払出し制御基板２１間には、ハーネス３５が設けられている。図２に示すように、前記ハーネス３５は、複数本の電気配線３７が集束された配線束３８と、当該配線束３８の両端に設けられた接続用コネクタ３９ａ，３９ｂとから構成されている。そして、両接続用コネクタ３９ａ，３９ｂが前記主基板２０及び払出し制御基板２１の基板側コネクタ３１，３２に係着されて主基板２０と払出し制御基板２１は電気的に接続されている。また、前記ハーネス３５の配線束３８は、図２及び図３に示すように、結束具４０によって結束されている。
【００２３】
ところで、主基板２０及び払出し制御基板２１を含む各遊技関連部品におけるアラビア数字は、同一数字が２箇所ずつ表記されており、ハーネス３５にて直接接続関係となるコネクタ（基板側コネクタ３１，３２）を示している。すなわち、図１においては、ハーネス３５により電気的に接続される主基板２０及び払出し制御基板２１の基板側コネクタ３１，３２の近傍に、それぞれ「１１」という同一のアラビア数字が表記されている。
【００２４】
なお、図１には、ハーネス３５は説明の便宜上１つしか図示していないが、上記した主基板２０と払出し制御基板２１間のハーネス３５以外にも各遊技関連部品間を電気的に接続する部材として複数設けられている。このため、遊技機１０の機裏側は、各遊技関連部品間が多数本の電気配線３７にて接続され、各種の制御信号等が伝送されるようになっている。そして、前記結束具４０により前記多数の電気配線３７同士が乱れ混じることなく、体裁よく束ねられている。
【００２５】
ここでハーネス３５を結束する結束具４０について詳しく説明する。
前記結束具４０は、図４及び図６に示すように、略帯状に形成されたバンド部４１及びバンド部４１の先端に一体形成されたバンドロック部４２を備えている。バンド部４１及びバンドロック部４２は共に合成樹脂で形成されている。そして、バンド部４１を配線束３８に巻回した状態で、バンド部４１におけるバンドロック部４２とは反対側の自由端をバンドロック部４２に係合固定させることによって、前記結束具４０は配線束３８を結束可能に構成されている。
【００２６】
図６に示すように、前記バンドロック部４２には貫通孔４３が形成され、この貫通孔４３は、バンド部４１において、係合部４７（後述する）が形成された面と直交する方向に沿って形成されている。図５に示すように、前記貫通孔４３の内部であって、バンド部４１と反対側の面には弾性を有する係止爪４４が突出形成されている。この係止爪４４には傾斜面４４ａと直立面４４ｂが形成されており、前記傾斜面４４ａは、結束具４０の使用時においてバンド部４１の自由端が挿入される側に位置している。
【００２７】
一方、前記バンド部４１には、図４及び図５に示すように、複数の係合突起４６により鋸刃形状に形成された係合部４７が形成されている。前記係合部４７は、バンド部４１を配線束３８に巻回させたときに、その外周面となる側に設けられており、自由端から長手方向に所定長さに亘って形成されている。そして、バンド部４１における係合部４７が形成された部位は、自由端に向かって僅かに幅狭になるように形成されている（図６参照）。また、係合部４７の各係合突起４６には、傾斜面４６ａと直立面４６ｂが形成されており、前記傾斜面４６ａは自由端側に位置している。
【００２８】
このような結束具４０にて配線束３８を結束させる際は、図３及び図５に示すように、バンド部４１で配線束３８を巻回し、同バンド部４１を自由端からバンドロック部４２の貫通孔４３に挿通させる。このとき、係止爪４４はバンド部４１の係合突起４６から押圧力を受けて繰り返し撓み、バンド部４１の通過を許容する。そして、前記貫通孔４３における係止爪４４の傾斜面４４ａは、バンド部４１の移動に伴いバンド部４１の各係合突起４６の傾斜面４６ａと摺接を繰り返す。その後、バンド部４１によって配線束３８に対して結束力が付与されると、バンド部４１の挿通動作を終了させる。すると、係止爪４４と係合突起４６はその直立面４４ｂ，４６ｂ同士が当接した状態で係合する（図５に二点鎖線で示す）。この結果、バンド部４１が貫通孔４３から抜き外されることなく、バンドロック部４２に係合固定される。
【００２９】
ところで、図６に示すように、前記バンド部４１には第１〜第３突片４８〜５０が一体的に突出形成されている。第１〜第３突片４８〜５０は、バンド部４１において係合部４７が形成された面に沿って形成されていると共に、バンド部４１と同一の厚さに形成されている。前記第１及び第２突片４８，４９は、ほぼ同じ形状に形成されており、第３突片５０は第１及び第２突片４８，４９よりも小さく形成されている。また、第１〜第３突片４８〜５０において、バンド部４１の係合部４７と同じ側の表面は、第１〜第３識別情報表記部５１〜５３とされている。
【００３０】
前記第１識別情報表記部５１には、小文字のアルファベット文字及びアラビア数字がハイフン（−）を挟んで記載されている。前記小文字のアルファベット文字は機能情報とされ、結束具４０にて結束された配線束３８が遊技機１０における各種遊技関連機能のうち何れの機能に関わるかを示している。この遊技関連機能とは、例えば、貸し球や賞球を払い出すための球払出し制御機能、可視表示部（図示しない）における図柄の変動に関する図柄変動制御機能、スピーカからの効果音に関する音声制御機能、打球発射に関する打球発射制御機能など、遊技機１０内で電気的信号に基づいて実行される制御機能のことを示す。そして、例えば「ａ」は払出し制御機能、「ｂ」は図柄変動制御機能、「ｃ」は音声制御機能…というように、予め、各種遊技関連機能と小文字のアルファベット文字が関連付けられている。図１に示すハーネス３５は主基板２０と払出し制御基板２１とを接続しており、払出し制御機能に関わるハーネス３５とされ、本実施形態においては、払出し制御機能を示す「ａ」という小文字のアルファベット文字が第１識別情報表記部５１に記載されている。
【００３１】
前記アラビア数字は、遊技関連部品に表記されたアラビア数字に対応して記載され、ハーネス３５の接続用コネクタ３９ａ，３９ｂの接続先を示す。即ち、本実施形態においては、接続先である主基板２０及び払出し制御基板２１の裏面２０ａ，２１ａの基板側コネクタ３１，３２の近傍に表記されたアラビア数字「１１」に対応して、「１１」というアラビア数字が記載されている。
【００３２】
第２識別情報表記部５２には、大文字のアルファベット文字及び漢数字がハイフン（−）を挟んで記載されている。この大文字のアルファベット文字及び漢数字は、外枠１１の列方向及び行方向位置表示部２７，２８に対応して記載されている。そして、大文字のアルファベット文字が列方向におけるハーネス３５の位置を示し、漢数字が行方向におけるハーネス３５の位置を示す。本実施形態においては、図１に図示されたハーネス３５の取付位置を示すように「Ｇ−九」という大文字のアルファベット文字及び漢数字が記載されている。
【００３３】
第３識別情報表記部５３には、ローマ数字が記載されている。このローマ数字は、遊技機１０に取り付けるべき複数のハーネス３５を当該遊技機１０に取付ける順番を示しており、遊技機メーカ（以下、単に「メーカ」という）側が考え得る最も効率的且つ適切な取付順番が表示されている。なお、本実施形態においては、「Ｉ」というローマ数字が記載されている。このローマ数字が取付順番情報に相当する。また、第１〜第３識別情報表記部５１〜５３に記載された大文字、小文字のアルファベット文字、アラビア数字、漢数字、ローマ数字が識別情報に相当し、大文字のアルファベット文字及び漢数字が表記情報に対応した情報に相当する。以下の説明において、上記した各文字及び数字を総称して「識別情報」ということもある。また、図示しないが、遊技機１０に設けられる全てのハーネス３５は、同一形状、同一構成の前記結束具４０にて結束されており、各識別情報表記部５１〜５３に記載された識別情報のみが適宜異なる。
【００３４】
次に、上記のように構成された結束具４０及び同結束具４０が使用された遊技機１０の作用を説明する。
尚、本実施形態では、遊技機１０が遊技場に設置された状態で、主基板２０又は払出し制御基板２１における電気的トラブル等が原因と思われる問題が生じた際を例にして説明する。
【００３５】
このような場合は、まず遊技場の係員が当該遊技機１０におけるトラブル状況をメーカの係員に電話等の通信手段で連絡する。すると、この電話連絡による説明を受けて、メーカの係員がトラブル状況を推測し、その推測に基づき接続状況の確認が必要と思われるハーネス３５を遊技場の係員に指示する。
【００３６】
このとき、例えば、メーカの係員がハーネス３５の位置を第１識別情報表記部５１の記載内容である遊技関連機能及び基板側コネクタ３１，３２との接続位置から説明する場合は、「小文字のａの（−）１１と記載されたハーネス、１１はアラビア数字」というように指示する。すると、遊技場の係員は、遊技機の機裏側を見ながら指示された文字及び数字が結束具４０に記載されたハーネス３５を探す。このとき、第１識別情報表記部５１における小文字のアルファベット文字は何れの遊技関連機能に関わるかを示しているため、遊技場の係員は、指示された小文字のアルファベット文字から、遊技機１０の裏面側からハーネス３５の位置を予測して探し出すことができる。つまり、本実施形態においては、「ａ」は払出し制御を示す文字にされていたため、遊技場の係員は払出し制御基板２１に接続された複数ハーネス３５の中で「１１」と結束具４０（第１識別情報表記部５１）に記載されたハーネス３５を探す。この結果、迅速且つ容易に指示されたハーネス３５を見つけ出すことができる。
【００３７】
また、例えば、メーカの係員がハーネス３５の位置を列方向及び行方向位置表示部２７，２８に表記された大文字のアルファベット文字及び漢数字を用いて説明する場合は、「Ｇ列の九行に位置するハーネス３５」というように指示する。すると、まず遊技場の係員は、指示された文字及び数字が記載された各ブロック２９，３０を列方向及び行方向位置表示部２７，２８から見つけだす。そこから下方及び左方へ直線上にたどっていき、その直線同士が互いに交差する位置で、結束具４０の第２識別情報表記部５２に「Ｇ−九」と記載されたハーネス３５を探す。この結果、迅速且つ容易に指示されたハーネス３５を見付け出すことができる。このとき列方向及び行方向位置表示部２７，２８は、複数のブロック２９，３０に区画され、この区画された各ブロック２９，３０内に大文字のアルファベット文字及び漢数字が記載されているため、遊技場の係員は表記された各文字及び数字が示す境界を的確に把握でき、好適にハーネス３５の位置を理解できる。
【００３８】
このようにして、たとえ電話連絡による説明でも、第１及び第２識別情報表記部５１，５２に記載された数字及び文字を用いることで、容易に相互理解がなされ、ハーネス３５の識別が迅速且つ簡便にできる。そして、遠隔地点から遊技機１０の裏面側に多数設けられるハーネス３５のうち何れが電気的トラブルに関わっているのかを的確に伝達できる。
【００３９】
ここで、各種文字及び数字による識別情報が記載された第１及び第２識別情報表記部５１，５２はバンド部４１から突出形成された突片４８，４９の表面に設けられている。このため、例えば、ハーネス３５を構成する電気配線３７の表面や、配線束３８を結束するための帯状のバンド部４１の表面に、上記したようなアラビア数字等の識別情報が記載されている場合と異なり文字（数字）表記が小さくなることはない。即ち、前記突片４８，４９は、バンド部４１や電気配線３７の表面と異なり、簡便に大きく形成することができる。従って、記載スペースを十分に確保できるとともに、遊技場の係員から見やすい形態にでき、ハーネス３５の識別の迅速化に寄与する。
【００４０】
次に、不備があったハーネス３５を取り外し、再び結束具４０で結束されたハーネス３５を遊技機１０に取付ける場合について説明する。この場合は、遊技場の係員は、例えば第１識別情報表記部５１を見て、そこに記載されたアラビア数字と同じアラビア数字が表記されている基板側コネクタ３１，３２を遊技機側から探す。このとき、遊技場の係員は、第１識別情報表記部５１における小文字のアルファベット文字「ａ」を見ることで、何れの遊技関連機能に関わるかが把握できる。この結果、ハーネス３５の接続用コネクタ３９ａ，３９ｂの接続位置を見つけだすことができ、配線作業が迅速且つ簡便に行われる。また、遊技機側に記された判別情報としてのアラビア数字により、ハーネス３５の取付け間違いを防止でき、たとえ、取付け間違いが生じたとしても、その間違いに気づき易くなる。
【００４１】
一方、第２識別情報表記部５２に記載されたアルファベット文字と漢数字を利用して、これらの文字及び数字を、外枠１１の列方向及び行方向位置表示部２７，２８におけるアルファベット文字と漢数字と見比べることで、ハーネス３５の取付位置を把握することもできる。
【００４２】
次に、任意の複数のハーネス３５を遊技機１０から一旦全て取り外して、再び取付ける場合について説明する。この場合、第３識別情報表記部５３には、各ハーネス３５の取付順番がローマ数字で記載されている。このため、遊技場の係員は、数の小さいローマ数字が記載されたハーネス３５から順に遊技機１０に取り付けていくことによって、メーカ側が考え得る最も効率的且つ適切な取付順でハーネス３５を取り付けることができる。このとき、第３識別情報表記部５３もバンド部４１から突出形成された第３突片５０の表面に設けられているため、係員から視認容易になる。
【００４３】
また、メーカの係員に連絡する前段階において、例えば、遊技球の払出しに関するトラブルが発生した場合は、第１識別情報表記部５１に表記されている小文字のアルファベット文字により、払出し制御機能に関わる全てのハーネス３５を簡便に見つけ出すことができる。この結果、遊技機１０の機裏側での点検作業も迅速に且つ簡便に行うことができ、ハーネス３５及びその周辺をチェックすることでトラブルの解消を図り得る。
【００４４】
従って、上記実施形態によれば、以下のような効果を得ることができる。
（１）上記実施形態では、ハーネス３５の配線束３８を結束する結束具４０のバンド部４１に第１〜第３突片４８〜５０を設け、同第１〜第３突片４８〜５０の表面を第１〜第３識別情報表記部５１〜５３として、各識別情報表記部５１〜５３に識別情報として各種文字及び数字を記載した。このため、例えば遠隔地点から電話連絡等で特定のハーネス３５について指示が行われる場合でも、記載された文字や数字に基づいて、遊技機１０の機裏側に複数設けられたハーネス３５を迅速に且つ簡便に識別することができる。そして、このような結束具４０の使用に基づき遊技機１０の機裏側での配線作業等を迅速に且つ簡便に行うことができる。
【００４５】
さらに、第１〜第３識別情報表記部５１〜５３をバンド部４１から突出形成された突片４８〜５０に設けたため、バンド部４１の表面や電気配線３７の表面に設ける場合と比較して、突出しているだけ遊技場の係員は第１〜第３識別情報表記部５１〜５３の表記内容（識別情報）を好適に視認することができる。また、例えばバンド部４１を細い帯状に形成しても、簡便に第１〜第３識別情報表記部５１〜５３（突片４８〜５０）だけを大きく形成することができ、識別情報の記載スペースを十分に確保された視認性のよい形態に容易にできる。
【００４６】
（２）上記実施形態では、遊技機１０側における基板側コネクタ３１，３２の近傍にアラビア数字を表記し、これに対応したアラビア数字を第１識別情報表記部５１に記載した。このため、ハーネス３５を遊技機１０に取り付ける場合でも接続用コネクタ３９ａ，３９ｂの接続位置が容易に理解できる。従って、ハーネス３５の取付け間違いを防止でき、たとえ、取付け間違いが生じたとしても、その間違いに容易に気づくことができる。
【００４７】
（３）上記実施形態では、外枠１１に列方向位置表示部２７及び行方向位置表示部２８を設け、両位置表示部２７，２８に表記された大文字のアルファベット文字及び漢数字に対応して、ハーネス３５の取付位置を示す大文字のアルファベット文字及び漢数字を第２識別情報表記部５２に記載した。従って、列方向及び行方向位置表示部２７，２８と第２識別情報表記部５２とを見比べることにより、ハーネス３５の取付位置を容易且つ迅速に確認できる。
【００４８】
（４）上記実施形態では、第１識別情報表記部５１における小文字のアルファベット文字によって、ハーネス３５が何れの遊技関連機能に関わるかを示した。
このため、ハーネス３５が関わる遊技関連部品を特定でき、ハーネス３５の取付位置を探す場合でも位置の予測ができる。
【００４９】
また、何らかの電気的トラブルが発生した場合は、第１識別情報表記部５１の小文字のアルファベット文字により、問題と考えられる機能に関わる全てのハーネス３５を簡便に見つけ出すことができ、点検作業が効率的に行え、迅速にトラブルの解消を図ることができる。
【００５０】
（５）上記実施形態では、第３識別情報表記部５３に記載されたローマ数字により、メーカ側が考え得る最も効率的且つ適切な取付順番を示した。このため、例えば、複数のハーネス３５を遊技機１０から一旦全て取り外して、再び取付る場合でも、効率的且つ適切な取付順でハーネス３５を取り付けることができる。
【００５１】
（６）上記実施形態では、外枠１１の列方向及び行方向位置表示部２７，２８を複数のブロック２９，３０に区画し、このブロック２９，３０内に大文字のアルファベット文字及び漢数字を記載した。このため、遊技場の係員は表記された各文字及び数字が示す境界を的確に把握でき、好適にハーネス３５の位置を理解できる。
【００５２】
なお、上記実施形態は以下のような別例に変更して具体化してもよい。
・上記実施形態では、結束具４０のバンド部４１に第１〜第３突片４８〜５０を突出形成し、第１〜第３識別情報表記部５１〜５３を設けたが、第３突片５０及び第３識別情報表記部５３を設けなくてもよい。この場合、取付順序情報は記載されないことになる。
【００５３】
・また、第２突片４９及び第２識別情報表記部５２も設けず、第１突片４８及び第１識別情報表記部５１のみを設ける態様にしてもよい。このようにした場合は、外枠１１に設けられた列方向及び行方向位置表示部２７，２８は設けなくてもよい。
【００５４】
・また、第１突片４８の第１識別情報表記部５１において、遊技関連機能のうち何れの機能に関わるかを示した小文字のアルファベットを記載せず、アラビア数字のみを記載する態様でもよい。このようにしても、例えば、電話連絡する場合でも、アラビア数字に基づいてハーネス３５を迅速に且つ簡便に識別できる。
【００５５】
・上記実施形態では、遊技関連部品（主基板２０及び払出し制御基板２１）における基板側コネクタ３１，３２の近傍には、結束具４０における第１識別情報表記部５１のアラビア数字に対応したアラビア数字が表記されていたが、基板側コネクタ３１，３２近傍に、アラビア数字を表記しなくてもよい。
【００５６】
・上記実施形態において第１〜第３識別情報表記部５１〜５３に表記した文字及び数字は適宜変更してもよく、他の記号や符号を用いてもよい。
・上記実施形態では、第１〜第３突片４８〜５０を、バンド部４１における係合部４７が形成された面に沿って形成したが、前記係合突起４６が形成された面と直交する方向に沿って形成してもよい。
【００５７】
・上記実施形態では、ハーネス３５は配線束３８と同配線束３８の両端に設けられた接続用コネクタ３９ａ，３９ｂとから構成したが、前記接続用コネクタ３９ａ，３９ｂを設けず、配線束３８のみでハーネス３５を構成してもよい。
【００５８】
・上記実施形態では、結束具４０により１つのハーネス３５を結束したが、２以上の複数のハーネス３５を結束するために結束具４０を用いてもよい。
・上記実施形態では、結束具４０の基本的構成は、帯状のバンド部４１とバンドロック部４２であったが、円筒上の筒部材を結束具４０の基本的構成としてもよい。このようにした場合、前記筒部材の内周面にて配線束３８は結束される。また、このとき突片４８〜５０は、筒部材の開口端に沿わせたり、外周面に直交させたりして一体的に突出形成される。なお、このようにした場合、前記筒部材が本体部に相当する。
【００５９】
・上記実施形態では、第１及び第２突片４８，４９を同じ形状に形成して、第３突片５０をそれらより小さく形成したが、全て同一形状に形成してもよいし、全て異ならせてもよい。
【００６０】
次に、上記実施形態及び各別例から把握できる技術的思想について以下に記載する。
（１）  前記表記情報は、行方向位置表示部及び列方向位置表示部を区画して各区画域に付された記号であり、前記識別情報は、前記区画域の記号に対応した記号を含む結束具。上記実施形態においては、ブロック２９，３０が区画域に相当し、第２識別情報表記部５２の大文字のアルファベット文字及び漢数字が区画域の記号に対応した記号に相当する。
【００６１】
【発明の効果】
以上詳述したように、本発明によれば、遊技機の機裏側に複数設けられた配線束を迅速に且つ簡便に識別することができる。また、結束具の使用に基づき遊技機の機裏側での配線作業等を迅速に且つ簡便に行うことができる。
【図面の簡単な説明】
【図１】本実施形態における遊技機を示す背面図。
【図２】ハーネスを示す正面図。
【図３】結束具の使用状態を示す斜視図。
【図４】結束具を示す斜視図。
【図５】結束具を示す要部断面図。
【図６】結束具を示す正面図。
【符号の説明】
１０…遊技機、２０…主制御基板（遊技関連部品）、２０ａ…裏面（判別情報表記部）、２１…払出し制御基板（遊技関連部品）、２１ａ…裏面（判別情報表記部）、２７…列方向位置表示部（判別情報表記部）、２８…行方向位置表示部（判別情報表記部）、３７…電気配線、３８…配線束、４０…結束具、４１…バンド部（本体部）、４８〜５０…突片、５１〜５３…識別情報表記部。
【図１】
0004641368.tif 000002
【図２】
0004641368.tif 000003
【図３】
0004641368.tif 000004
【図４】
0004641368.tif 000005
【図５】
0004641368.tif 000006
【図６】
0004641368.tif 000007